(57)【要約】【課題】本発明は、がん等の病気による薬の副作用などにより、頭髪が抜けた患者或いは手術や怪我のために頭部の髪を剃った患者の頭髪の生育を促進させると共に冬場にはより温かく使用できる患者用帽子を提供することを目的とする。【解決手段】少なくとも、吸湿発熱繊維で編成して柔軟な帽子本体１を形成させる構造とする。また前記帽子本体１を、吸湿発熱繊維で編成させるか或いは編成した布地が縫製されて形成すると共に、その帽子本体１の外周に、熱発散防止用の外被２を重ねて設けたものとするのが好ましく、帽子本体１又は外被２の周縁部11,21に髪部３を設けるものとしても良い。【選択図】図２
2013221227.tif 000002
【特許請求の範囲】
【請求項１】
抗がん剤の副作用による脱毛や頭部手術後に被る患者用帽子であって、少なくとも、吸湿発熱繊維で編成して柔軟な帽子本体（１）を形成したことを特徴とする患者用帽子。
【請求項２】
前記帽子本体（１）が、吸湿発熱繊維で編成されるか或いは編成した布地を縫製して形成されると共に、その帽子本体（１）の外周に、熱発散防止用の外被（２）が重ねて設けられた請求項１記載の患者用帽子。
【請求項３】
前記帽子本体（１）の周縁部（11）又は前記外被（２）の周縁部（21）に髪部（３）が設けられた請求項２記載の患者用帽子。
【発明の詳細な説明】
【技術分野】
【０００１】
本発明は、がんや他の病気による薬の副作用や放射線治療などにより、頭髪が抜けた患者或いは、手術や怪我のために頭部の髪を剃った患者が使用するための患者用帽子に関する。
【背景技術】
【０００２】
一般に病院や医院等で薬の副作用、特には抗がん剤の使用による副作用として、頭髪が抜けてしまうことが良く知られている。この頭髪が抜けた患者は、他人に髪の毛がないことを知られないように室内や屋外で帽子を深く被ることが多い。時には帽子の代りに、かつらを着用する場合もあった。
【０００３】
前記患者が被る帽子としては、特開２００３−２２１７２０が提案されている。この構造は、両端部に開口部を有する筒状体に形成され、一方の開口部側を人の頭頂に被せ、他方の開口部の周縁部を頭頂部近傍に於いて、小穴を閉じることができる形状に形成すると共に、筒状体の外部に頭髪部を着脱自在に取付けた第１の帽子部と、その上部に着脱自在に被せられ、小穴を閉じた部分及び頭髪部の取付け部分を覆う形状に形成した第２の帽子部とを備えたものであった。
【０００４】
しかしながら、特開２００３−２２１７２０の目的は、頭髪が抜けていること、頭部に包帯を付けていること、などが他人に知られることなく、自然の形で着用できるようにしたものである。このため、特開２００３−２２１７２０には、本願のような頭部を適宜に温めて頭髪の生育を促進させる効果は殆どないと共にそのような発想も全くないものである。
【先行技術文献】
【特許文献】
【０００５】
【特許文献１】特開２００３−２２１７２０号公報
【発明の概要】
【発明が解決しようとする課題】
【０００６】
本発明は、がん等の病気による薬の副作用などにより、頭髪が抜けた患者或いは手術や怪我のために頭部の髪を剃った患者の頭髪の生育を促進させると共に冬場にはより温かく使用できる患者用帽子を提供することを目的とする。
【課題を解決するための手段】
【０００７】
本発明は上記現状に鑑みて成されたものであり、つまり、少なくとも、吸湿発熱繊維で編成して柔軟な帽子本体を形成させる構造とする。また前記帽子本体を、吸湿発熱繊維で編成させるか或いは編成した布地が縫製されて形成すると共に、その帽子本体の外周に、熱発散防止用の外被を重ねて設けたものとするのが好ましく、更に帽子本体又は外被の周縁部に髪部を設けるものとしても良い。尚、本発明で言う「編成」とは、帽子本体に形成するために編み上げることを指すと共に、布地に編み上げた後、その布地を縫製して帽子本体に形成することを含むものとする。
【発明の効果】
【０００８】
請求項１のように少なくとも、吸湿発熱繊維で編成して柔軟な帽子本体（１）を形成させることにより、冬は暖かく、且つ、常に頭部が適宜に温めることが出来るものとなるため、頭皮の血行を促進可能なものとなると共に頭髪の生育の促進にも至るものとなる。又、帽子本体（１）の形状や製作方法が従来と同じであるので、容易に製作できるものとなる。更に、一般に壮年性脱毛症や円形脱毛症などの人が本発明品を被れば、外気に触れても帽子本体（１）の内部温度が下がらずに一定温度を保つものとなるため、発毛の促進用として利用することが可能なものとなる。
【０００９】
請求項２のように帽子本体（１）を、吸湿発熱繊維で編成させるか或いは編成した布地が縫製されて形成すると共に、その帽子本体（１）の外周に、熱発散防止用の外被（２）が設けられ帽子本体（１）が吸湿発熱繊維で形成されると共に、その帽子本体（１）の外周に、熱発散防止用で且つ通気性を有する外被（２）を重ねて設けることにより、吸湿発熱された熱が外部へ発散しにくくなり、且つ、心地良い温かさが常時確保できるものとなるので、頭髪の生育がより促進可能なものとなる。
【００１０】
請求項３に示すように帽子本体（１）の周縁部（11）又は前記外被（２）の周縁部（21）に髪部（３）を設けることにより、見た目が良く、且つ、頭部に髪の毛がないことが、人に分かりにくくなるものとなる。
【図面の簡単な説明】
【００１１】
【図１】本発明の実施形態を示す説明図である。
【図２】本発明の別実施形態を示す説明図である。
【図３】別実施形態の断面を示す説明図である。
【発明を実施するための形態】
【００１２】
本発明の実施形態を図１に基づいて説明する。（１)は抗がん剤などの副作用による脱毛や頭部手術後に被るための柔軟な帽子本体であり、該帽子本体（１）は吸湿発熱繊維で編成して形成されるか、或いは吸湿発熱繊維で布地を編成した後、その布地を縫製して形成されるものとしても良い。この吸湿発熱繊維は、湿気を吸って熱を出し、心地良い温度が確保されるものである。前記吸湿発熱繊維やその布地としては、例えば、東洋紡ＡＰ事業部製のモイスケア（登録商標名）や、ユニクロ製のヒートテック（登録商標名）と同質材料などを用いるのが好ましい。
【００１３】
図２は本発明の別実施形態を示す図であり、これについて説明する。（１)は前記実施形態の帽子本体（１）と同じもので良い。（２）は帽子本体（１）の外周に重ねて設けた図２、図３に示すような外被であり、該外被（２）は帽子本体（１）よりも編成する編目を細かくし且つ通気性を有する布であり、帽子本体（１）の厚さよりも厚いものが好ましいが、略同じ厚さの布地を用いても良い。また外被（２）は、帽子本体（１）による吸湿発熱の熱を外部に発散しにくくするための熱発散防止用の役目を果たす。又、前記外被（２）は帽子本体（１）に重ねて縫製して一体化するのが好ましいが、接着剤を用いて部分的に接着し一体化させるものとしても良い。尚、前記外被（２）の通気性については、必ずしも必要ではない。（３）は図３（ａ）に示すように帽子本体（１）の周縁部（11）又は図３（ｂ）に示すように外被（２）の周縁部（21）に沿って設けた髪部であり、該髪部（３）は毛体の束を編み込み、或いは植毛して設けても良い。更に図３（ｃ）に示すように外被（２）の外周面全体に植毛させたものとしても良い。
【００１４】
次に本発明の作用について説明する。先ず始めに図１に示す患者用帽子は、従来のものと同様に患者が頭部（Ｈ）に被れば良い。この時、従来の患者用帽子は、頭髪が抜けたことや、頭髪を剃って髪の毛のないことが、他人に知られないようにカモフラージュするだけの役目であったのに対し、本発明の患者用帽子は、帽子本体（１）による吸湿発熱の熱によって自然に頭皮を温めると共に常時気持ちの良い温度で温めることが可能となるため、頭皮の血行を促進させ、特に頭髪の生育の促進に役立つものとなるのである。また冬場に於いては、スキー場や雪国で本発明品を健常者が使用すると、従来の帽子よりもはるかに温かい状態が常時確保されるものとなるため、重宝なものとなるのである。更に壮年性脱毛症や円形脱毛症などの人が本発明品を被れば、発毛の促進用として利用することが可能なものとなる。
【００１５】
又、図２に示すように患者用帽子は上記同様にして患者が頭部（Ｈ）に被れば良い。この時、帽子本体（１）によって得られた吸湿発熱の熱は、上記のものが外部に熱が発散されるのに対し、前記帽子本体（１）による吸湿発熱の熱は、外被（２）によって熱を内部に溜めることが可能となるため、心地良い温かさが常時保持できるものとなると共に頭髪の生育がより促進可能なものとなるのである。
【００１６】
更に図２に示す患者用帽子は上記の効果以外に、外被（２）の周縁部（21）又は帽子本体（１）の周縁部（11）に髪部（３）が設けられているため、頭髪が抜けたことや、頭髪を剃って髪の毛のないことが他人に、分かりにくいものとなり、より良くカモフラージュが出来るものとなる。
【００１７】
このように本発明は、頭髪が抜けた患者或いは手術や怪我のために頭部（Ｈ）の髪を剃った患者更には脱毛症の患者の頭髪の生育を促進させるだけでなく、特に冬場に健常者が使用しても、心地良い温かさがいつまでも保持出来るものとなる。
【符号の説明】
【００１８】
１  帽子本体
11  周縁部
２  外被
21  周縁部
３  髪部
【図３】
2013221227.tif 000003
【図１】
2013221227.tif 000004
【図２】
2013221227.tif 000005